(57)【要約】  本発明は、工業用製品および家庭用製品の製造に使用され、特に、マットレス、ソファ、座席、椅子および下着の製造において使用されるポリウレタン組成物に関する。本発明のポリウレタンフォーム組成物は、ポリオール、有機ポリイソシアネート、触媒、発泡剤、重合開始剤、安定剤および添加剤からなり、粒径がミクロン範囲の粉末状琥珀または粉末状琥珀樹脂を含有する。この組成物は、例えば、代謝を刺激する、喘息およびアレルギー性の呼吸器の問題を軽減する、身体的な痛みの克服に役立つ、良くないエネルギーを除外するなど、健康にとって有益な特性を有し、多方面にわたる用途を与える。【特許請求の範囲】
【請求項１】
ポリオール、有機ポリイソシアネート、触媒、発泡剤、重合開始剤、安定剤および添加剤に由来するポリウレタンフォーム製品であって、粒径がミクロン範囲の粉末状琥珀または粉末状琥珀樹脂を含有することを特徴とする、ポリウレタンフォーム製品。
【請求項２】
前記粒径が１〜３０００μｍの範囲内にあることを特徴とする、請求項１に記載の組成物。
【請求項３】
前記粉末状琥珀または粉末状琥珀樹脂が０．１〜１０重量％の量であることを特徴とする、請求項１または２に記載の組成物。
【請求項４】
マットレス、枕、毛布、または同様の機能を有する他の製品の製造における、請求項１〜３のいずれか一項に記載の組成物の使用。
【発明の詳細な説明】
【技術分野】
【０００１】
本発明は、工業用製品および家庭用製品の製造に使用され、特に、マットレス、ソファ、座席、椅子および下着の製造において使用されるポリウレタン組成物に関する。
【背景技術】
【０００２】
ポリウレタンは、広く使用されているポリマー群であることが知られている。これらは、その強度と耐久性のため、多くの産業分野で構造材料として使用される。
【０００３】
ポリウレタンフォームの生成には、ポリエーテル多価アルコールと有機ジイソシアネートが用いられ、これらがウレタン結合によって互いに結合し、同時に、有機ジイソシアネートが発泡剤（通常は水）と反応し、二酸化炭素の気体を生成することが知られている。これにより、フォームが生成する。従来から、有機アミンまたは有機金属化合物が、このプロセスの触媒として使用される。ポリウレタンの安定化のために、シリコーン界面活性剤を使用してもよい。また、この製造工程において、ポリウレタンの調製のために、種々のフィラー、添加剤および着色剤を混合物に添加してもよいことも知られている（英国特許第９６７４４１号明細書、国際公開２００７１４６３５１号パンフレット、欧州特許第１５５９７３４号明細書）。
【０００４】
米国特許第４９３７２７３号明細書は、無機抗菌剤（銀イオン、亜鉛イオンまたは銅イオンが吸着したゼオライトまたは活性炭）を添加剤として含む可撓性ポリウレタンフォームを保護する。無機抗菌剤は、平均粒径が０．１〜１μｍの粉末の形態であることが好ましい。
【０００５】
米国特許出願第２００７２８７００２号明細書は、ラベンダー、カモミール、ローズ、グリーンティー、ペパーミント、ジャスミン、セージ、またはこれらの組み合わせの葉全体、葉片または葉粉末が組み込まれたフレーバーの添加を含む、ポリウレタンフォームから作られたマットレスに言及する。
【０００６】
米国特許第８３６６７５７号明細書は、赤外線および／またはイオンを放出する、マットレス、枕またはスポーツ用マットのためのポリウレタンまたは高弾性フォームを保護する。ベース材料に加え、標準的な技術（例えば、成型、押出成形および他の既知の実施）によって処理する前に、トルマリン、花崗斑岩、石英斑岩、ゼオライト、パーライト、蛇紋石鉱物、またはこれらの混合物を粉砕して微粉材料にすることを含む。本発明は、上述の添加剤の効果を発揮するか、または増幅させるアルミニウム、フェライト、銅、酸化クロム、酸化チタン、二酸化ジルコニウムおよび二酸化ケイ素から選択される他の無機材料の微粒子のさらなる添加剤を用いる可能性も与え、抗カビ性、抗真菌性、消臭、香りなどのさらなる効果を与えるために添加剤を使用する可能性も与える。
【０００７】
中国特許出願第１０１４５７０１７号明細書は、ポリオールおよび有機ポリイソシアネート、発泡剤、触媒、重合開始剤および安定剤を含む、消臭し、抗菌性であり、疾患の予防に適用可能な、インテリア製品のためのポリウレタン組成物に言及し、これに対し、天然オパールまたはトルマリンの超微細粉末のアニオン添加剤を加え、ポリウレタンを生成する混合物中に分散させ、さらに、柔軟剤、着色剤、定着剤、増粘剤および湿潤剤のような他の添加剤を含む。
【０００８】
公開された国際特許出願第２０１２／１３７１２８号パンフレットは、片側に天然の琥珀の詰め物を充填した袋を有する二重フレームと、フレームの両側／区画の間に挿入される、積極的に加熱される半剛性パネルと、ヒトの体（例えば、背中）に非常に隣接する位置に製品を固定するための保持部と、上述の加熱される半剛性パネルにおいて、加熱し、必要な温度を必要な時間維持するための特殊な電源とを含む、積極的に加熱される製品（例えば、マットレス、枕、毛布、スリッパ、衣類の商品）を作成するための発明を開示している。本発明は、天然の琥珀を、琥珀がイオンを放射する温度まで加熱するという目的のために、特殊な電源を使用し、積極的に加熱される琥珀の詰め物を有するフレーム部分をヒトの体に非常に隣接する位置、またはヒトの体から特定の距離（数センチ）に置くことによって、上述の製品の中に含まれる天然の琥珀を２６〜４０℃の最適温度まで加熱することを意図していた。イオンの放射および効果は、天然の琥珀の温度が２６〜４０℃に達した後に顕著に大きくなり、ヒトの体のエネルギー点およびチャンネル、神経中心の機能、神経インパルスの移動、細胞活性、代謝などを良く刺激し、ヒトの生物学的に活性な電磁場（本明細書で以下、ヒトの生物学的領域）によって、琥珀の周囲に電磁場が誘発され、ヒトの生物学的領域と琥珀の周囲にヒトによって作られる誘発された生物学的領域との相互作用が開始し、ヒトの生物学的領域は、このような相互作用に良く応答し（鎮静する、さらに刺激する）、神経／反射中心およびエネルギーチャンネルに直接的に影響を与える。
【先行技術文献】
【特許文献】
【０００９】
【特許文献１】英国特許第９６７４４１号明細書
【特許文献２】国際公開第２００７１４６３５１号パンフレット
【特許文献３】欧州特許第１５５９７３４号明細書
【特許文献４】米国特許第４９３７２７３号明細書
【特許文献５】米国特許出願第２００７２８７００２号明細書
【特許文献６】米国特許第８３６６７５７号明細書
【特許文献７】中国特許出願第１０１４５７０１７号明細書
【特許文献８】国際公開第２０１２／１３７１２８号パンフレット
【発明の概要】
【発明が解決しようとする課題】
【００１０】
本発明の主な目的は、例えば、代謝を刺激する、喘息およびアレルギー性の呼吸器の問題を軽減する、身体的な痛みの克服に役立つ、良くないエネルギーを除外するなど、健康にとって有益な特性を有し、多方面にわたる用途を与えるポリウレタン最終組成物を作製することである。
【００１１】
今日では、人類は、自然およびその自然らしさをより頻繁に振り返っている。自然は、数多くの問題の答を探すための場所であり、新しい自然や、身体上および精神上の健康を改善するための効果的な方法を見つけるための場所である。天然の琥珀は注目に値するとはいえ、まだ完全には発見されていない材料である。ほとんどの科学者は、琥珀が、有機物の性質を有する非晶質天然誘導体であることに同意する。琥珀は、Ｐｉｎｕｓ  Ｓｕｃｃｉｎｉｆｅｒａまたは他の種類の松の木によって何百万年もの間分泌された樹脂の固化した誘導体である。琥珀は、約８％のアンバー酸（古代から薬理学で使用されてきた）と、種々の他の添加剤を含有する。ほとんどの科学者、琥珀を用いて作業する人々は、琥珀が、ヒトの臓器および分離した臓器の生理学的側面を改善し、組織および臓器の治癒と中枢神経系や消化器系の機能を改善することができることを提案している。琥珀の影響下で、関節および皮膚の上層における炎症性の変性プロセスの数が減少する傾向があり、耳、胃、痛みが抑制され、リウマチが治療されることが注目されている。さらに、医師は、チェルノブイリの大災害から被害を受け、大部分が甲状腺疾患を患っている子供たちを治療するのに琥珀を使用した。
【課題を解決するための手段】
【００１２】
従って、本願発明者らは、ポリウレタンフォームからなり、少なくとも１つのポリオールおよび少なくとも１つの有機ポリイソシアネート、触媒、発泡剤、重合開始剤および安定剤を含む組成物から作られ、これに対し、好ましくは１〜３０００μの所定の粒径を有し、さらに多くは、０．１〜１０重量％の量で粉末状琥珀または琥珀様樹脂が加えられた、本記載のポリウレタンフォーム組成物を作製した。
【００１３】
本発明のポリウレタンフォーム組成物は、他の添加剤、例えば、セルオープナー、１つ以上の不燃性化合物、着色剤、フィラー、抗菌剤、架橋剤、連鎖延長剤、滑沢剤、帯電防止剤、反応性ポリウレタン顔料およびその他の添加剤といった物質も含んでいてもよい。
【００１４】
本発明のポリウレタンフォームは、確立された従来の処理技術に従って作られるが、膨張の前、または接着剤または他の結合物質と混合した後に、連続的に撹拌しつつ、重合混合物に粉末状琥珀を添加し、すでに仕上げ加工されたポリウレタン製品に層として噴霧される。
【００１５】
本発明のポリウレタンフォームは、広範囲の密度、弾性率および硬度を有し、特に、代謝を刺激する、喘息およびアレルギー性の呼吸器の問題を軽減する、身体的な痛みの克服に役立つ、良くないエネルギーを除外するなどなど、健康にとって有益な特徴を有する。
【図面の簡単な説明】
【００１６】
【図１】図１は、本発明のポリウレタンフォーム組成物から作られ、天然の琥珀粉末が満たされ、疾患の予防、健康増進治療および一般的な疾患の治療に使用されるマットレスの図を示す。
【図２】図２は、本発明のポリウレタンフォーム組成物から作られ、天然の琥珀粉末が満たされ、疾患の予防、健康増進治療および一般的な疾患の治療に使用されるマットレスの図を示す。
【図３】図３は、ポリウレタンフォームのコア（７）が、全ての側壁部分に沿ったジッパーによって与えられる、布地でキルティング加工したマットレスカバー（６）によって覆われた、マットレスの概観図を与える。
【図４】図４は、ヒトの体に近い位置に配置され（ヒトがその上に横たわる／頭部をのせるために）、予防的治療、健康増進治療および一般的な障害の治療を行うための、天然の琥珀粉末を含む本発明のポリウレタンフォーム組成物から作られる活性な枕を示す。
【発明を実施するための形態】
【００１７】
本発明は、以下の例示的な実施形態によって説明される。
【実施例１】
【００１８】
ポリウレタンフォームは、以下の出発成分を用いることによって調製された。
【表１】
2019504908.tif 000002
【００１９】
ポリウレタンフォームを調製するための原材料は、温度２５℃に調節される。攪拌機を取り付けたミキサーに、必要量のポリエーテルポリオールトリオール、水、スズ（ＩＩ）−２−エチルヘキサノエート、ジプロピレングリコール中のトリエチレンジアミン、ケイ素および顔料を投与した。ミキサー中の均質化された混合物に、粒径が７０μの２重量部／ｋｇの粉末状琥珀をさらに投入し、その後に、トルエン２，４−ジイソシアネートとトルエン２，６−ジイソシアネートの８０：２０の比率の混合物を温度２５℃に調節して加え、ポリウレタンフォームの調製のための反応を開始する。この混合物を減圧チャンバ内に配置された型に分注し、１８ｋＰａの減圧下で７０秒間膨張させた後、大気圧で膨張を３０秒間続ける。
【実施例２】
【００２０】
ポリウレタンフォームは、以下の出発成分を用いることによって調製された。
【表２】
2019504908.tif 000003
【００２１】
ポリウレタンフォームを調製するための原材料を温度２５℃に調節し、実施例１に記載の方法に従って混合した。この混合物に、粒径７０μの粉末状琥珀を４重量部／ｋｇの量で加えた。
【００２２】
得られた混合物を型に入れ、６７ｋＰａの減圧を１００秒間維持して減圧チャンバ内で膨張させ、次いで、大気圧で９０秒間継続した。
【００２３】
得られたポリウレタンフォームの体積重量（密度）は、３０±２ｋｇ／ｍ３であり、硬度は４．０±１ｋＰａ、反発弾性試験によれば弾性率は４２％であった。
【実施例３】
【００２４】
ポリウレタンフォームは、以下の出発成分を用いることによって調製された。
【表３】
2019504908.tif 000004
【００２５】
ポリウレタンフォームを調製するための原材料を調節し、実施例１に記載の方法に従って混合した。使用者に対する影響の望ましい健康上の影響を達成するために、この混合物に、粒径７０μの粉末状琥珀を２．７重量部／ｋｇの量で加えた。
【００２６】
得られた原材料の混合物を型に投入し、大気圧で膨張させた。
【００２７】
得られたポリウレタンフォームの体積重量は３６±２ｋｇ／ｍ３であり、硬度は２±１ｋＰａであった。
【実施例４】
【００２８】
ポリウレタンフォームは、以下の出発成分を用いることによって調製された。
【表４】
2019504908.tif 000005
【００２９】
ポリウレタンフォームを調製するための原材料を調節し、実施例１に記載の方法に従って混合した。使用者に対する影響の望ましい健康上の影響を達成するために、この混合物に、粒径７０μの粉末状琥珀を６重量部／ｋｇの量で加えた。
【００３０】
得られた原材料の混合物を型に投入し、大気圧で膨張させた。
【００３１】
得られたポリウレタンフォームの体積重量は８０±２ｋｇ／ｍ３であり、硬度は２．０±１ｋＰａであった。
【実施例５】
【００３２】
粒径が１〜１７０μの範囲内の任意の値の琥珀粉末を適切な接着剤と混合した。均質な混合物になるまで、完全に再循環させる二重ダイヤフラムポンプによって混合物を撹拌した。得られた混合物を、成形されたポリウレタン製品に、ピストル型Ｆｉｎｅｘによって噴霧した。
【００３３】
図１は、本発明のポリウレタンフォーム組成物から作られ、天然の琥珀粉末が満たされ、疾患の予防、健康増進治療および一般的な疾患の治療に使用されるマットレスの図を示す。図１の琥珀マットレスは、整列したバネユニット（４）が、布地材料の層（３）によって覆われており、これが、（１）天然の琥珀粉末を含有するポリウレタンフォームを用いてキルティング加工したマットレスカバーによって覆われているものからなり、適切な形状は、マットレスの上部および底部の縁部分に沿って配置されたマットレステープ（２）によって与えられた。図１は、ヒトが背中が接するように横たわり、背中の領域を介して予防／治癒治療を行うためのマットレス（１）の概要を与える。これにかかわらず、同じアイディア、原理および知識を、天然の琥珀を含む他の活性な製品、例えば、枕、毛布、ベルト、バンドなどを作成するために適用してもよい。
【００３４】
図２は、本発明のポリウレタンフォーム組成物から作られ、天然の琥珀粉末が満たされ、疾患の予防、健康増進治療および一般的な疾患の治療に使用されるマットレスの図を示す。図２のマットレスは、成形ポリウレタンフォーム（５）と、その上にある、天然の琥珀粉末を含有する本発明のフォーム層（５ａ）が、全ての側壁部分の中央部に沿ったジッパーによって与えられる、布地でキルティング加工したマットレスカバー（６）によって覆われたものからなる。
【００３５】
図３は、ポリウレタンフォームのコア（７）が、全ての側壁部分に沿ったジッパーによって与えられる、布地でキルティング加工したマットレスカバー（６）によって覆われた、マットレスの概観図を与える。
【００３６】
図４は、ヒトの体に近い位置に配置され（ヒトがその上に横たわる／頭部をのせるために）、予防的治療、健康増進治療および一般的な障害の治療を行うための、天然の琥珀粉末を含む本発明のポリウレタンフォーム組成物から作られる活性な枕を示す。例えば、この場合、製品（枕）は、毎日の予防／治癒プロセスに使用されることが意図されている。図４の枕は、枕布カバー（８）で覆われた、天然琥珀粉末を含有する本発明の成形ポリウレタンフォーム（５）からなる。
【００３７】
本発明の本質は、以下を組み合わせた製品（構造）である。
−天然の琥珀が、ヒトの臓器に良い影響を与えるイオンを放射する特性。
−ヒト（または有機体）が、自身の生物学的領域で琥珀の周りに磁場を誘発する能力。ここで、ヒト（または動物）は、琥珀の周囲に作られる電磁場（もしあれば他の要素も含む）に良い応答をする。
−設計された製品（マットレス、枕、毛布）は、非常に快適であり、安全であり、比較的柔らかく、任意の形状を有することができ、座ったり、半横臥位になったり、横になったり、横向きの位置などになったりするときに使用することができる。
【００３８】
本発明の本質的な固有さは、以下の点である。
−製品が、天然の琥珀を含む。
−製品に使用される天然の琥珀は、体温によってのみ積極的に加熱されてもよい。
−製品は、使用が容易であり、入手可能である。
−特殊な貯蔵条件を必要としない。
−軽量である。
−比較的安価である。
−臭気がない（同程度の他の琥珀製品と比較して）。
−治療手順を家庭で、穏やかな環境で便利な時間に行うことができる。
−使用が安全である。本発明を説明し、記載するために、最も好ましい実施形態の記載を本明細書で上に提示する。本発明は、特定の工程が詳細に実行されることを必要とせず、特許請求の範囲を特定の構造または範囲に限定するものではない。上の説明は、限定ではなく例示としてみなされるべきである。当該技術分野の専門家は、複数の可能な改変および変形を十分に認識していることは明らかである。製品の定量的なパラメータおよびその用途が、特定の使用に応じて変わり得るため、記載される実施形態は、本発明の原理および特定の使用または実施形態のための様々な変更を用いたその実際的な適用を探索する分野の専門家を助ける目的で選択され、記載されている。本発明の範囲は、特に明記しない限り、最も広い意味範囲で使用される用語を含め、添付の特許請求の範囲およびその均等物によって定義されることが予期されている。記載された実施形態は、以下の特許請求の範囲に記載される本発明の範囲から逸脱しない補正を与え得ることが認識されている。
【図１】
2019504908.tif 000006
【図２】
2019504908.tif 000007
【図３】
2019504908.tif 000008
【図４】
2019504908.tif 000009
【国際調査報告】
2019504908.tif 000010
2019504908.tif 000011
2019504908.tif 000012